(57)【特許請求の範囲】
【請求項１】
磁気テープが外周に所定の巻き付け角度で摺接される回転ドラムと、
前記回転ドラムを回転可能に支持する回転軸と、
該回転ドラムに設けられ前記磁気テープに情報を記録する記録用磁気ヘッドと、
前記回転ドラムに設けられ前記磁気テープに記録された情報を再生する再生用磁気ヘッドと、
前記記録用磁気ヘッドに接続され、前記記録用磁気ヘッドと前記回転ドラムに対向する固定側との間で記録信号の受け渡しを行う記録用ロータリトランスと、
前記再生用磁気ヘッドに接続され、前記再生用磁気ヘッドと前記回転ドラムに対向する固定側との間で再生信号の受け渡しを行う再生用ロータリトランスと、
導電性を有する板バネよりなり、前記外部から前記回転ドラムの上面側に延在形成された支持アームと、
該支持アームに支持され、前記回転軸の上端に押圧されるアース端子と、
前記支持アームより分岐され、前記回転ドラムの上面の突起に係止される回転防止アームと、
を備えてなることを特徴とする磁気記録再生装置。
【請求項２】
前記記録用ロータリトランスまたは前記再生用ロータリトランスの何れか一方を前記回転ドラムの上面側に設け、
前記回転ドラムの上面側に前記記録用ロータリトランスまたは前記再生用ロータリトランスの何れか他方を前記回転ドラムの下面側に設けたことを特徴とする請求項１記載の磁気記録再生装置。
【請求項３】
前記記録用ロータリトランスまたは前記再生用ロータリトランスのうち前記回転ドラムの下面側に設けられたロータリトランスは、前記回転ドラムの下面側に固定された固定ドラムの内部に収納されたことを特徴とする請求項１記載の磁気記録再生装置。
【請求項４】
前記記録用ロータリトランスまたは前記再生用ロータリトランスのうち前記回転ドラムの上面側に設けられたロータリトランスのステータ側は、前記回転軸の上端に軸受けを介して支持されたことを特徴とする請求項１記載の磁気記録再生装置。
【請求項５】
前記突起は、円錐状に形成され、
前記回転防止アームは、前記突起に嵌合する係止孔を有することを特徴とする請求項１記載の磁気記録再生装置。
【発明の詳細な説明】
【０００１】
【発明の属する技術分野】
本発明は磁気記録再生装置に係り、特に複数の磁気ヘッドを有する回転ドラムに磁気テープを摺接させて磁気記録再生を行うよう構成された磁気記録再生装置に関する。
【０００２】
【従来の技術】
例えば、コンピュータの記憶手段として用いられる磁気記録再生装置としては、磁気テープに回転ヘッドを摺接させて情報をへリカルスキャン方式で磁気記録するストリーマ装置がある。
【０００３】
この種の磁気記録再生装置は、複数の磁気ヘッドが取り付けられた回転ドラム（「上ドラム」とも言う）と、シャーシ上に固定された固定ドラム（「下ドラム」とも言う）とを有しており、回転ドラムは固定ドラムの中心部分で軸承された回転軸の上端に結合されている。そして、固定ドラムの下方に配されたモータの回転は、回転軸を介して回転ドラムに伝達される。
【０００４】
また、回転ドラムには、一対の記録用磁気ヘッドと一対の再生用磁気ヘッドとが周方向に対して９０度間隔で交互に配置されている。そして、一対の記録用磁気ヘッド及び一対の再生用磁気ヘッドは、夫々ａチャンネル用とｂチャンネル用として１８０度間隔で配置されている。
【０００５】
従って、例えば、テープ巻き付け角を１８０度とした場合、ａチャンネル用の記録用磁気ヘッドが９０度進んだときにａチャンネル用の再生用磁気ヘッドが磁気テープに摺接開始する。また、ａチャンネル用の記録用磁気ヘッドが１８０度進んだとき、ａチャンネル用の再生用磁気ヘッドが９０度の位置に移動し、同時にｂチャンネル用の記録用磁気ヘッドが磁気テープに摺接開始する。
【０００６】
このように、記録用磁気ヘッド及び再生用磁気ヘッドは、磁気テープに摺接しながら情報の記録と再生とを同時に行うことが可能になる。
【０００７】
一方、回転ドラムに設けられた各磁気ヘッドは、ロータリトランスを介して固定側の基板に配されたアンプなどに接続される。そして、ロータリトランスは、環状に形成された一対のロータリトランス半体からなり、ロータ側のロータリトランス半体とステータ側のロータリトランス半体とが互いに微小な隙間を介して対向するように配置される。また、各ロータリトランス半体に平面には、各磁気ヘッドに対応するトランスコイルが収納される溝が同心円状に形成されており、記録用トランスコイルと再生用トランスコイルとが接近した状態で同一平面に取り付けられている。
【０００８】
【発明が解決しようとする課題】
上記のように構成された従来の磁気記録再生装置では、回転ドラムの外周に巻き付けられた磁気テープに対して磁気記録と再生が同時に行われる場合、比較的大きな電流が流れる記録用トランスコイルからの漏れ磁束が再生用トランスコイルに影響してクロストークが発生する可能性が高いという問題があった。
【０００９】
また、従来の磁気記録再生装置では、回転ドラムの下面に４個の磁気ヘッドが９０度間隔で配置され、且つ回転ドラムの外径が規格によって決められているので、記録用磁気ヘッドと再生用磁気ヘッドとが接近した状態で磁気記録及び再生を行うため、回転ドラムの外周に巻き付けられた磁気テープに対して磁気記録と再生が同時に行われる場合、比較的大きな電流が流れる記録用磁気ヘッドからの漏れ磁束が再生用磁気ヘッドに影響してクロストークが発生してＳ／Ｎ比（信号と雑音との比）の劣化を招くという問題があった。
【００１０】
また、このような問題を解消する方法としては、例えば、▲１▼回転ドラムに取り付けられるヘッド数を増加して記録用磁気ヘッドと再生用磁気ヘッドとの通電タイミングが一致しないようにする方法や、▲２▼クロストークの影響を受けにくいダブルアジマスヘッドを使用する方法などが考えられる。しかしながら、上記▲１▼の方法では、ヘッド数の増加により、製造コストが高価になるばかりか、回転ドラムの重量が増大して回転ドラム駆動モータの負荷が増大すると共に、消費電力が上昇してしまう。
【００１１】
そこで、本発明は上記課題を解決した磁気記録再生装置を提供することを目的とする。
【００１２】
【課題を解決するための手段】
本発明は上記課題を解決するため、以下のような特徴を有する。
【００１３】
上記請求項１記載の発明は、磁気テープが外周に所定の巻き付け角度で摺接される回転ドラムと、回転ドラムを回転可能に支持する回転軸と、回転ドラムに設けられ前記磁気テープに情報を記録する記録用磁気ヘッドと、回転ドラムに設けられ磁気テープに記録された情報を再生する再生用磁気ヘッドと、記録用磁気ヘッドに接続され、記録用磁気ヘッドと回転ドラムに対向する固定側との間で記録信号の受け渡しを行う記録用ロータリトランスと、再生用磁気ヘッドに接続され、再生用磁気ヘッドと回転ドラムに対向する固定側との間で再生信号の受け渡しを行う再生用ロータリトランスと、導電性を有する板バネよりなり、外部から回転ドラムの上面側に延在形成された支持アームと、支持アームに支持され、回転軸の上端に押圧されるアース端子と、支持アームより分岐され、回転ドラムの上面の突起に係止される回転防止アームと、を備えてなるものであり、記録用ロータリトランスと再生用ロータリトランスとを分離させることで記録系のトランスコイルと再生系のトランスコイルとの間でクロストークが防止される。また、記録用ロータリトランスと再生用ロータリトランスとを分離させることで、Ｓ／Ｎ比の改善及びヘリカリスキャン方式の磁気記録再生の性能を高めることが可能になる。また、支持アームより分岐された回転防止アームにより回転ドラムの上面側に設けられたロータリトランスのステータ側の回転を防止することが可能になり、さらに、回転軸の上端に押圧されるアース端子を導電性の板バネよりなる支持アームにより支持しているので、回転ドラムに帯電した静電気を除去することができる。
【００１４】
また、請求項２記載の発明は、記録用ロータリトランスまたは再生用ロータリトランスの何れか一方を回転ドラムの上面側に設け、回転ドラムの上面側に記録用ロータリトランスまたは再生用ロータリトランスの何れか他方を回転ドラムの下面側に設けたものであり、記録用ロータリトランスと再生用ロータリトランスとを分離させて回転ドラムの上面側と下面側とに配置することで、回転ドラムの寸法、形状を大きく変えることなく記録用ロータリトランス及び再生用ロータリトランスをコンパクトに取り付けることが可能になる。
【００１５】
また、請求項３記載の発明は、記録用ロータリトランスまたは再生用ロータリトランスのうち回転ドラムの下面側に設けられたロータリトランスが、回転ドラムの下面側に固定された固定ドラムの内部に収納されることにより、回転ドラムの下面側と固定ドラムとの間に形成される空間を有効に利用して回転ドラム及び固定ドラムが大型化することを防止する。
【００１６】
また、請求項４記載の発明は、記録用ロータリトランスまたは再生用ロータリトランスのうち回転ドラムの上面側に設けられたロータリトランスのステータ側が、回転ドラムを回転可能に支持する回転軸の上端に軸受けを介して支持された支持部材に支持されることにより、回転軸の回転に影響されずに回転ドラムの上面側にロータリトランスを配置することが可能になる。
【００１７】
また、請求項５に記載の発明は、突起が円錐状に形成され、回転防止アームが突起に嵌合する係止孔を有するため、回転ドラムの上方から容易に回転防止アームの係止孔を突起に嵌合させることができる。
【００１９】
【発明の実施の形態】
以下、図面と共に本発明の一実施例について説明する。
図１は本発明になる磁気記録再生装置の一実施例を示す斜視図である。図２は本発明になる磁気記録再生装置の一実施例を示す平面図である。
【００２０】
図１及び図２に示されるように、磁気記録再生装置２０は、ストリーマ装置であり、例えば、コンピュータの外部記憶装置として用いられる。
【００２１】
磁気記録再生装置２０は、テープカセット（図示せず）が挿入されるホルダ２２と、ホルダ２２を装着位置に搬送する搬送機構２４と、テープカセットのリールに巻回された磁気テープ（図示せず）を引き出すテープローディング機構２６と、テープローディング機構２６により磁気テープを所定角度巻き付けられる回転ドラムユニット２８と、テープカセットのリールを回転駆動するリール駆動機構３０，３１と、これらの各機構を支持するメインシャーシ３２とから概略構成されている。
【００２２】
ここで、本発明の要部を形成する回転ドラムユニット２８の構成について説明する。
【００２３】
図３は回転ドラムユニット２８の斜視図である。図４は回転ドラムユニット２８の縦断面図である。
【００２４】
図３及び図４に示されるように、回転ドラムユニット２８は、メインシャーシ３２上に固定された固定ドラム３４と、固定ドラム３４の上方で回転自在に支持された回転ドラム３６と、回転ドラム３６の中央孔３６ａに結合された回転軸３８と、回転軸３８を回転駆動するモータ４０とから概略構成されている。
【００２５】
固定ドラム３４の外周には、テープローディング機構２６により巻き付けられた磁気テープ（図示せず）の走行位置をガイドするための段差３４ａが螺旋状に形成されている。また、回転ドラム３６の外周には、磁気テープが密着することを防止する複数の溝３６ｂが所定のピッチで形成されている。
【００２６】
また、回転ドラム３６の上部には、回転軸３８の上端に支持される支持部材４２が設けられている。さらに、回転軸３８の上端に摺接するアース端子４４は、導電性を有する板バネ材からなる支持アーム４６により回転軸３８の上端に押圧されている。尚、アース端子４４は、耐摩耗性を考慮して硬度の高いカーボン材により形成されている。
【００２７】
また、支持アーム４６より側方に分岐したストッパアーム４８は、支持部材４２の上面に突出する円錐状の突起５０が嵌合する係止孔４８ａを先端部分に有する。よって、支持部材４２は、ストッパアーム４８により回転を防止された状態で回転軸３８の上端に支持されている。
【００２８】
回転軸３８は、下端に圧入されたブッシュ５２を介してモータケース５４が一体的に固定されており、モータケース５４の上面には、モータ４０のロータとしてのマグネット５６が環状に配設されている。マグネット５６の上方には、モータ４０のステータとしてのコイル５８が基板６０上に固着されている。
【００２９】
また、回転軸３８は、固定ドラム３４の内周に設けられた円筒部６２の内周に挿入された一対の軸受６４，６６により回転自在に軸承されている。尚、軸受６４，６６は、内輪がなく外輪６４ａ，６６ａと回転軸３８との間にボール６４ｂ，６６ｂが介在し、ボール６４ｂ，６６ｂが直接回転軸３８に当接するダイレクト方式のボールベアリングである。また、外輪６４ａと６６ａとの間には、コイルバネ６８に押圧されたバネ受け７０，７２が当接しており、外輪６４ａと６６ａとを互いに軸方向に押圧している。
【００３０】
回転ドラム３６は、中央孔３６ａが回転軸３８に結合されているため、回転軸３８と一体に回転するように支持されている。また、図５に示されるように、回転ドラム３６の下面には、記録用磁気ヘッド７４，７６と、再生用磁気ヘッド７５，７７とが周方向に９０度間隔で取り付けられている。そして、記録用磁気ヘッド７４はａチャンネル用、記録用磁気ヘッド７６はｂチャンネル用である。また、再生用磁気ヘッド７５は、ａチャンネル用、再生用磁気ヘッド７７はｂチャンネル用である。尚、各磁気ヘッド７４〜７７は、ヘッドベース７４ａ〜７７ａに固着されており、ヘッド面が回転ドラム３６の外周より僅かに突出するようにヘッドベース７４ａ〜７７ａがビス７１により回転ドラム３６の下面に固着され、ヘッドベース７４ａ〜７７ａの高さ方向の取付位置がビス７３により調整されている。
【００３１】
回転ドラム３６の上面と支持部材４２との間には、記録用ロータリトランス７８が配置され、回転ドラム３６の下面と固定ドラム３４との間には再生用ロータリトランス８０が配置されている。このように、記録用ロータリトランス７８と再生用ロータリトランス８０とは、軸方向に離間した位置に分離されているので、例えば、記録用磁気ヘッド７４，７６が磁気テープに情報を磁気記録するのと同時に再生用磁気ヘッド７５，７７で磁気テープに記録された情報を再生する際に記録用ロータリトランス７８からの漏れ磁束が再生用ロータリトランス８０に影響することを防止することができ、再生信号にクロストークによるノイズが重畳されることを防止する。
【００３２】
従って、ロータリトランスよりも高価な磁気ヘッド数を増やしたりせず、またダブルアジマスヘッドなどの高価な磁気ヘッドを使用せずにＳ／Ｎ比の改善を図ることが可能になり、回転ドラム駆動用のモータ４０の負荷を軽減できると共に、ロータリトランスを記録用ロータリトランス７８と再生用ロータリトランス８０とに分離させることで回転ドラムユニット２８の製造コストを安価に抑えられる。
【００３３】
記録用ロータリトランス７８は、例えば、フェライト材で環状に形成されたロータリトランス半体７８Ａと７８Ｂとが微小な隙間を介して対向しており、ロータリトランス半体７８Ａ，７８Ｂの対向面には、夫々ａチャンネル用トランスコイル８２ａ，８４ａと、ｂチャンネル用トランスコイル８２ｂ，８４ｂが埋設されている。また、ロータリトランス半体７８Ａの下面には、Ｒ端子と呼ばれるターミナル基板８５が取り付けられている。このターミナル基板８５は、記録用磁気ヘッド７４，７６から引き出されたリード線をトランスコイル８２ａ，８２ｂに接続する配線パターン（図示せず）が形成されている。
【００３４】
再生用ロータリトランス８０は、例えば、フェライト材で環状に形成されたロータリトランス半体８０Ａと８０Ｂとが微小な隙間を介して対向しており、ロータリトランス半体８０Ａ，８０Ｂの対向面には、夫々ａチャンネル用トランスコイル８６ａ，８８ａと、ｂチャンネル用トランスコイル８６ｂ，８８ｂが埋設されている。また、ロータリトランス半体８０Ａの上面には、Ｒ端子と呼ばれるターミナル基板８９が取り付けられている。このターミナル基板８９は、再生用磁気ヘッド７５，７７から引き出されたリード線をトランスコイル８６ａ，８６ｂに接続する配線パターン（図示せず）が形成されている。
【００３５】
そして、記録用ロータリトランス７８のロータリトランス半体７８Ａは、回転ドラム３６の上面に固着されており、再生用ロータリトランス８０のロータリトランス半体８０Ａは、回転ドラム３６の下面及びターミナル基板８９に固着されている。
【００３６】
また、記録用ロータリトランス７８のロータリトランス半体７８Ｂは、回転ドラム３６の上方に配置された支持部材４２の下面４２ｂに固着されており、再生用ロータリトランス８０のロータリトランス半体８０Ｂは、固定ドラム３４の内部に形成された支持部３４ｂに固着されている。尚、支持部材４２は、円盤状に形成されており、その中央孔４２ａには、一対の軸受９０，９２が挿入されている。一対の軸受９０，９２は、ボールベアリングなどからなり、軸受９０，９２の内周には、円筒状のブッシュ９４が嵌合され、ブッシュ９４の内周には、回転軸３８の上端が嵌合している。
【００３７】
そのため、支持部材４２は、前述したストッパアーム４８により回転を防止され、且つ軸受９０，９２を介して回転軸３８に支持されているので、回転軸３８の回転時も回転力を受けずにロータリトランス半体７８Ｂを安定的に保持することが可能になる。
【００３８】
また、再生用ロータリトランス８０は、固定ドラム３４の内部に形成された空間９４に収納されており、回転ドラム３６及び固定ドラム３４の寸法を変更せずに済み、コンパクトな構成になっており、回転ドラムユニット２８の大型化を防止しうる。
【００３９】
上記実施例では、支持部材４２を軸受９０，９２を介して回転軸３８に支持する構成としたが、軸受９０，９２には、ボールベアリング以外の構造のものを用いても良いのは言うまでもない。
【００４０】
ここで、回転ドラムユニット２８の変形例について説明する。
図６は回転ドラムユニット２８の変形例の縦断面図である。尚、図６において、上記実施例と同一部分には同一符号を付してその説明を省略する。
【００４１】
図６に示されるように、変形例の回転ドラムユニット９６では、記録用ロータリトランス７８及び再生用ロータリトランス８０は、固定ドラム３４の内部に形成された空間９４に収納されている。また、記録用ロータリトランス７８及び再生用ロータリトランス８０は、同一平面内に同心円状に配置されている。
【００４２】
記録用ロータリトランス７８は内側に配され、再生用ロータリトランス８０は、外側に配されている。そして、記録用ロータリトランス７８と再生用ロータリトランス８０との間には、円筒状に形成されたシールド部材９６が挿入されている。
【００４３】
記録用ロータリトランス７８及び再生用ロータリトランス８０の回転側のロータリトランス半体７８Ａ，８０Ａは、回転ドラム３６の下面に固着されたターミナル基板８９により支持されている。
【００４４】
このシールド部材９６は、上端がターミナル基板８９の下面に結合されており、ターミナル基板８９と一体的に設けられている。また、シールド部材９６は、下端が薄く形成されており、固定側のロータリトランス半体７８Ｂ，８０Ｂに接触しないようにロータリトランス半体７８Ｂ，８０Ｂよりも下方に延在している。そして、固定ドラム３４の内部には、固定側のロータリトランス半体７８Ｂ，８０Ｂが固着される一対の支持部９８，１００とが同心円状に形成されるとともに、支持部９８，１００間にはシールド部材９６の下端が接触しないように凹部１０２が環状に形成されている。
【００４５】
シールド部材９６及びターミナル基板８９は、記録用ロータリトランス７８及び再生用ロータリトランス８０よりも磁気抵抗の大きい材質により形成されている。従って、記録用ロータリトランス７８と再生用ロータリトランス８０との間は、シールド部材９６により仕切られており、記録用ロータリトランス７８からの漏れ磁束が再生用ロータリトランス８０に影響することが防止される。
【００４６】
また、シールド部材９６及びターミナル基板８９の材質が、記録用ロータリトランス７８及び再生用ロータリトランス８０よりも磁気抵抗の小さい材質により形成されている場合には、ターミナル基板８９に漏れ磁束を外部に逃がすための磁性層を形成する。
【００４７】
また、変形例では、上記実施例のように回転ドラム３６の上面に記録用ロータリトランス７８を設けない構成であるので、支持部材４２及びストッパアーム４８、軸受９０，９２などを設ける必要が無く、コンパクトな構成になっている。
【００４８】
尚、記録用ロータリトランス７８及び再生用ロータリトランス８０の取付位置は、上記実施例及び変形例に限るものではなく、記録用ロータリトランス７８と再生用ロータリトランス８０との位置を入れ替えるようにしても良いのは勿論である。
【００４９】
【発明の効果】
上述の如く、請求項１記載の発明によれば、磁気テープが外周に所定の巻き付け角度で摺接される回転ドラムと、回転ドラムを回転可能に支持する回転軸と、回転ドラムに設けられ前記磁気テープに情報を記録する記録用磁気ヘッドと、回転ドラムに設けられ磁気テープに記録された情報を再生する再生用磁気ヘッドと、記録用磁気ヘッドに接続され、記録用磁気ヘッドと回転ドラムに対向する固定側との間で記録信号の受け渡しを行う記録用ロータリトランスと、再生用磁気ヘッドに接続され、再生用磁気ヘッドと回転ドラムに対向する固定側との間で再生信号の受け渡しを行う再生用ロータリトランスと、導電性を有する板バネよりなり、外部から回転ドラムの上面側に延在形成された支持アームと、支持アームに支持され、回転軸の上端に押圧されるアース端子と、支持アームより分岐され、回転ドラムの上面の突起に係止される回転防止アームと、を備えてなるため、記録用ロータリトランスと再生用ロータリトランスとを分離させることで記録系のトランスコイルと再生系のトランスコイルとの間でクロストークが防止され、記録用ロータリトランスからの漏れ磁束が再生用ロータリトランスに影響することを防止することができ、再生信号にクロストークによるノイズが重畳されることを防止できる。
【００５０】
また、記録用ロータリトランスと再生用ロータリトランスとを分離させることで、Ｓ／Ｎ比の改善及びヘリカリスキャン方式の磁気記録再生の性能を高めることが可能になる。さらに、ロータリトランスよりも高価な磁気ヘッド数を増やしたりせず、またダブルアジマスヘッドなどの高価な磁気ヘッドを使用せずにＳ／Ｎ比の改善を図ることが可能になり、回転ドラム駆動用のモータの負荷を軽減できると共に、製造コストを安価に抑えられる。また、支持アームより分岐された回転防止アームにより回転ドラムの上面側に設けられたロータリトランスのステータ側の回転を防止することが可能になり、さらに、回転軸の上端に押圧されるアース端子を導電性の板バネよりなる支持アームにより支持しているので、回転ドラムに帯電した静電気を除去することができる。
【００５１】
また、請求項２記載の発明によれば、記録用ロータリトランスまたは再生用ロータリトランスの何れか一方を回転ドラムの上面側に設け、回転ドラムの上面側に記録用ロータリトランスまたは再生用ロータリトランスの何れか他方を回転ドラムの下面側に設けたため、記録用ロータリトランスと再生用ロータリトランスとを分離させて回転ドラムの上面側と下面側とに配置することで、回転ドラムの寸法、形状を大きく変えることなく記録用ロータリトランス及び再生用ロータリトランスをコンパクトに取り付けることができる。
【００５２】
また、請求項３記載の発明によれば、記録用ロータリトランスまたは再生用ロータリトランスのうち回転ドラムの下面側に設けられたロータリトランスが、回転ドラムの下面側に固定された固定ドラムの内部に収納されるため、回転ドラムの下面側と固定ドラムとの間に形成される空間を有効に利用して回転ドラム及び固定ドラムが大型化することを防止できる。
【００５３】
また、請求項４記載の発明によれば、記録用ロータリトランスまたは再生用ロータリトランスのうち回転ドラムの上面側に設けられたロータリトランスのステータ側が、回転ドラムを回転可能に支持する回転軸の上端に軸受けを介して支持された支持部材に支持されるため、回転軸の回転に影響されずに回転ドラムの上面側にロータリトランスを配置することができる。
【００５４】
また、請求項５の発明によれば、突起が円錐状に形成され、回転防止アームが突起に嵌合する係止孔を有するため、回転ドラムの上方から容易に回転防止アームの係止孔を突起に嵌合させることができる。
【図面の簡単な説明】
【図１】本発明になる磁気記録再生装置の一実施例を示す斜視図である。
【図２】本発明になる磁気記録再生装置の一実施例を示す平面図である。
【図３】回転ドラムユニット２８の斜視図である。
【図４】回転ドラムユニット２８の縦断面図である。
【図５】回転ドラム３６の底面図である。
【図６】回転ドラムユニット２８の変形例の縦断面図である。
【符号の説明】
２０  磁気記録再生装置
２２  ホルダ
２４  搬送機構
２６  テープローディング機構
２８，９６  回転ドラムユニット
３０，３１  リール駆動機構
３２  メインシャーシ
３４  固定ドラム
３６  回転ドラム
３８  回転軸
４０  モータ
４２  支持部材
４４  アース端子
４６  支持アーム
４８  ストッパアーム
５６  マグネット
５８  コイル
６４，６６，９０，９２  軸受
７４，７６  記録用磁気ヘッド
７５，７７  再生用磁気ヘッド
７８  記録用ロータリトランス
８０  再生用ロータリトランス
７８Ａ，７８Ｂ，８０Ａ，８０Ｂ  ロータリトランス半体
８９，８５  ターミナル基板
９４  空間
９６  シールド部材
９８，１００  支持部
１０２  凹部
【図１】
0003812440.tif 000002
【図２】
0003812440.tif 000003
【図３】
0003812440.tif 000004
【図４】
0003812440.tif 000005
【図５】
0003812440.tif 000006
【図６】
0003812440.tif 000007